(57)【要約】【課題】玉砂利の如き粒状物を簡単に配設でき、特に、粒状物間に見映えのよい隙間を確保可能な粒状物配設用複合資材、およびその製造方法を提供すること。【解決手段】粒状物配設用複合資材１は、網状体３の片面に複数の粒状物５が固着された構造になっている。網状体３は、４回回転対称性を持つ形状とされ、網状体３の周縁部は、交互に凹部６ａおよび凸部６ｂのある輪郭をなす形状とされた波形周縁部６とされている。網状体３を縦横に配置した場合、網状体３の継ぎ目となる部分においては、一方の波形周縁部６と他方の波形周縁部６とで互いの凹凸をかみ合わせることにより、曲線状の継ぎ目を形成することができる。さらに、粒状物５は、所定の密度で配置された障害物を有する型の中に並べられることにより、障害物を避けた位置に分散配置された状態とされ、その状態のまま網状体３に固着されている。【選択図】図１
2007170140.tif 000002
【特許請求の範囲】
【請求項１】
下地となる面に沿う形状に変形可能な網状体と、
前記網状体の片面に固着された複数の粒状物と
を備えており、
前記網状体の周縁部の少なくとも一部は、交互に凹凸のある輪郭をなす形状とされた波形周縁部とされていて、前記網状体を前記下地となる面に配置した際に前記網状体の継ぎ目となる部分において、一方の前記波形周縁部と他方の前記波形周縁部とで互いの凹凸をかみ合わせることにより、曲線状の前記継ぎ目を形成可能とされている
ことを特徴とする粒状物配設用複合資材。
【請求項２】
前記網状体は、９０度回転させる毎に同一形状となる４回回転対称性を持つ形状とされていて、且つ、一つの網状体を基準にして当該網状体の四方に同形状の前記網状体を配設した際に、基準となる前記網状体と四方に配設された各網状体との継ぎ目となる部分において、基準となる前記網状体が持つ前記波形周縁部と四方に配設された各網状体が持つ前記波形周縁部とで互いの凹凸をかみ合わせることにより、曲線状の前記継ぎ目を形成可能とされている
ことを特徴とする請求項１に記載の粒状物配設用複合資材。
【請求項３】
前記複数の粒状物は、あらかじめ所定の密度で配置された障害物を有する型の中に並べられることにより、前記障害物を避けた位置に分散配置された状態とされて、その状態のまま前記網状体に固着されたものである
ことを特徴とする請求項１または請求項２に記載の粒状物配設用複合資材。
【請求項４】
あらかじめ所定の密度で配置された障害物を有する型の中に複数の粒状物を並べることにより、前記障害物を避けた位置に前記複数の粒状物を分散配置して、その状態のまま前記複数の粒状物を網状体の片面に固着する
ことを特徴とする粒状物配設用複合資材の製造方法。
【発明の詳細な説明】
【技術分野】
【０００１】
本発明は、粒状物配設用複合資材、およびその製造方法に関する。
【背景技術】
【０００２】
従来、弾性を有するシート上にバインダ層を設けて、そのバインダー層に天然石を埋め込んでなる玉砂利マットが提案されている（例えば、特許文献１参照。）。
このような玉砂利マットを利用すれば、玉砂利を容易に敷き詰めることができ、また、玉砂利が飛び散ったりしないので、容易に玉砂利の保守・管理を行うことができた。
【特許文献１】特開平０８−６０６０６号公報
【発明の開示】
【発明が解決しようとする課題】
【０００３】
しかしながら、上記特許文献１に記載の玉砂利マットは、平面視正方形に構成されていたため（上記特許文献１の図１参照）、玉砂利マットの継ぎ目が目立つ、という問題があった。
【０００４】
より詳しく説明すると、上記特許文献１に記載の玉砂利マットの場合、各玉砂利マットの中央部では、玉砂利が不規則に配置されているためん、玉砂利のなす隙間も不規則な形状となる。しかし、隣接する位置に配置された玉砂利マット同士の境界では、一直線に延びる隙間ができてしまうため、どうしても不自然な印象を与える要因となり、玉砂利マットの継ぎ目が目立ってしまう、という問題があった。
【０００５】
ここで、個々の玉砂利間にできる隙間が最小限となるように玉砂利を密に敷き詰めると、上記境界部分にある一直線に延びる隙間が特に目立つので、これを緩和するためには、全体的に玉砂利の量を減らし、個々の玉砂利間にできる隙間を多めに確保する、というのも一案である。
【０００６】
しかし、玉砂利の量を減らして個々の玉砂利間にできる隙間を多めに確保しようとすると、玉砂利を満遍なく分散させて配置することが難しくなる、という問題もあった。そのため、手作業で玉砂利をきれいに分散配置するには相当な手間がかかり、あるいは、そのような手間を省くと、玉砂利が過剰に密に配置された部分や過剰に疎らに配置された部分ができてしまうため、玉砂利間にできる隙間にばらつきが生じて見た目が悪くなる、という問題があった。
【０００７】
本発明は、上記問題を解決するためになされたものであり、その目的は、玉砂利の如き粒状物を簡単に配設でき、特に、粒状物間に見映えのよい隙間を確保可能な粒状物配設用複合資材、およびその製造方法を提供することにある。
【課題を解決するための手段】
【０００８】
以下、本発明において採用した構成について説明する。
本発明の粒状物配設用複合資材は、下地となる面に沿う形状に変形可能な網状体と、前記網状体の片面に固着された複数の粒状物とを備えており、前記網状体の周縁部の少なくとも一部は、交互に凹凸のある輪郭をなす形状とされた波形周縁部とされていて、前記網状体を前記下地となる面に配置した際に前記網状体の継ぎ目となる部分において、一方の前記波形周縁部と他方の前記波形周縁部とで互いの凹凸をかみ合わせることにより、曲線状の前記継ぎ目を形成可能とされていることを特徴とする。
【０００９】
この粒状物配設用複合資材において、
また、粒状物とは、床面や壁面などの下地に固着されるものであり、具体的には、粒状の天然石、擬石、ガラス粒、サンゴ粒、プラスチック粒、セラミックス粒などが用いられる。
【００１０】
また、網状体は、片面に固着される粒状物が、裏側の面に通り抜けない程度の網目を持つもので、下地となる面に沿う形状に容易に変形させることができれば、特に材質については限定されず、各種天然繊維もしくは各種合成繊維で製造されたものを任意に利用することができる。これら粒状物と網状体は、双方の材質を考慮して選定される接着剤等を介して固着されていればよい。
【００１１】
以上のように構成される粒状物配設用複合資材は、例えば、複数の粒状物が固着された面を表側、粒状物が固着されていない面を裏側として、裏側を下地となる面に向けて固着される。このとき、網状体は、下地となる面に沿う形状に変形させることができるので、下地となる面の凹凸に沿うように粒状物を固着することができる。なお、粒状物配設用複合資材を単に固着しただけでは、粒状物間にできる隙間から網状体が見えるので、この網状体を隠したい場合には、例えば、粒状物間にある隙間を目地材で埋めることにより、網状体については目地材の内部に埋没させ、粒状物については一部分が目地材の内部に埋没、残りの一部分が目地材の外部に露出する状態にするとよい。この場合、目地材としては、モルタル、あるいはモルタルに類する機能を有する各種目地用組成物を利用することができる。また、壁面に粒状物配設用複合資材を固着する場合は、モルタルの如き目地材で隙間を埋める必要があるが、床面に粒状物配設用複合資材を固着する場合は、粒状物よりも細かい砂などによって粒状物間の隙間を埋めることもできる。
【００１２】
以上のように構成された粒状物配設用複合資材によれば、網状体を固着するだけで複数の粒状物を下地となる面に固着することができるので、複数の粒状物を満遍なく下地となる面に固着する作業を容易に実施することができる。
【００１３】
また、本発明の場合、網状体の周縁部の少なくとも一部は、交互に凹凸のある輪郭をなす形状とされた波形周縁部とされており、網状体を柱状本体の側面に固着した際に網状体の継ぎ目となる部分においては、一方の前記波形周縁部と他方の前記波形周縁部とで互いの凹凸をかみ合わせることにより、曲線状の前記継ぎ目が形成されるようになっている。そのため、継ぎ目となる部分においては、一方の波形周縁部の凸部に固着された粒状物が他方の波形周縁部の凹部に入り込み、他方の波形周縁部の凸部に固着された粒状物が一方の波形周縁部の凹部に入り込むので、粒状物の存在しない隙間が直線状に延びるような領域が形成されなくなる。したがって、継ぎ目の存在が目立たなくなり、粒状物間に見映えのよい隙間を確保することができるようになる。
【００１４】
また、本発明において、前記網状体は、９０度回転させる毎に同一形状となる４回回転対称性を持つ形状とされていて、且つ、一つの網状体を基準にして当該網状体の四方に同形状の前記網状体を配設した際に、基準となる前記網状体と四方に配設された各網状体との継ぎ目となる部分において、基準となる前記網状体が持つ前記波形周縁部と四方に配設された各網状体が持つ前記波形周縁部とで互いの凹凸をかみ合わせることにより、曲線状の前記継ぎ目を形成可能とされていると好ましい。
【００１５】
このように構成された粒状物配設用複合資材によれば、粒状物配設用複合資材を方眼のマス目に沿うような位置に縦横に配置することにより、簡単に波形周縁部の凹凸をかみ合わせることができ、所期の曲線状継ぎ目を形成することができる。しかも、網状体は、９０度回転させる毎に同一形状となる４回回転対称性を持つ形状とされているので、網状体の上下左右の向きを意識して配置しなくてもよくなり、粒状物配設用複合資材をきわめて簡単に縦横に配置できるようになる。
【００１６】
また、本発明において、前記複数の粒状物は、あらかじめ所定の密度で配置された障害物を有する型の中に並べられることにより、前記障害物を避けた位置に分散配置された状態とされて、その状態のまま前記網状体に固着されたものであるとよい。
【００１７】
このように構成された粒状物配設用複合資材によれば、全体の面積に対して所望の割合で障害物を設けておくことにより、簡単に複数の粒状物を分散させることができ、その分散状態を維持したまま下地となる面に粒状物および網状体を固着することができる。
【００１８】
したがって、網状体の面積に対して粒状物の量が少ないような場合であっても、障害物を均一に設けておけば、きわめて簡単に粒状物を均一に分散配置することができる。
また、障害物をあえて不均一に設けておいてもよく、例えば、第１の部分では障害物の密度が高く、第２の部分では障害物の密度が低い型を用意すれば、第１の部分には少量の粒状物を分散させ、第２の部分にはより多くの粒状物を分散させることができるので、そのような分散状態の粒状物を、そのまま下地となる面に固着することができる。
【００１９】
こうして粒状物間の隙間を十分に確保すれば、粒状物を過度に密に敷き詰めた場合とは異なり、粒状物配設用複合資材間の境界部分にある隙間が目立たなくなる。また、手作業で個々の粒状物を分散配置しなくてもよいので、簡単に粒状物を分散させることができ、粒状物間の隙間を十分に確保することができる。
【００２０】
さらに、隙間を確保すると、個々の粒状物配設用複合資材毎に隙間の形態や位置にばらつきが生じやすいが、あらかじめ所定の密度で配置された障害物を有する型を用いれば、隙間の形態や位置にばらつきが生じるのを抑制することができる。この効果は、第１の部分には少量の粒状物を分散させ、第２の部分にはより多くの粒状物を分散させる、といった具合に分散状態をコントロールする場合にも同様であり、このコントロールの状態が個々の粒状物配設用複合資材毎にばらつくのを、所定の密度で配置された障害物を有する型を用いることにより、抑制することができる。
【発明を実施するための最良の形態】
【００２１】
図１は、本発明の粒状物配設用複合資材の一例を示す平面図、図２（ａ）は、同粒状物配設用複合資材９枚を縦横に敷き詰めた状態を示す平面図、図２（ｂ）は、同粒状物配設用複合資材の部分縦断面図である。
【００２２】
図１および図２に示す粒状物配設用複合資材１は、網状体３および複数の粒状物５とを備えている。
網状体３は、下地となる面に沿う形状に変形可能な柔軟なもので、９０度回転させる毎に同一形状となる４回回転対称性を持つ形状とされていて、その網目の大きさが粒状物５の大きさよりも小さい網目となっている。また、この網状体３の周縁部は、交互に凹部６ａおよび凸部６ｂのある輪郭をなす形状とされた波形周縁部６とされていて、網状体３を下地となる面に配置した際に網状体３の継ぎ目７となる部分において、一方の波形周縁部６と他方の波形周縁部６とで互いの凹部６ａおよび凸部６ｂをかみ合わせることにより、曲線状の継ぎ目７を形成可能となっている。
【００２３】
より詳しくは、図２（ａ）に示すように、一つの網状体３を基準にして当該網状体３の四方に同形状の網状体３を配設した際、基準となる網状体３とその四方に配設された各網状体３との継ぎ目７となる部分においては、基準となる網状体３が持つ波形周縁部６と四方に配設された各網状体３が持つ波形周縁部６とで互いの凹凸がかみ合い、曲線状の継ぎ目７が形成される。これにより、継ぎ目７となる部分においては、一方の波形周縁部６の凸部６ｂに固着された粒状物５が他方の波形周縁部６の凹部６ａに入り込み、他方の波形周縁部６の凸部６ｂに固着された粒状物５が一方の波形周縁部６の凹部６ａに入り込むので、粒状物５の存在しない隙間が直線状に延びるような領域が形成されなくなる。したがって、継ぎ目７の存在が目立たなくなり、粒状物５間に見映えのよい隙間を確保することができるようになる。
【００２４】
粒状物５は、本実施形態の場合、天然石（玉砂利）が利用されており、接着剤によって網状体３の片面に固着されている。また、網状体３に固着された粒状物５の相互間には適度な隙間が確保されている。
【００２５】
以上のように構成される粒状物配設用複合資材１は、例えば、図２（ｂ）に示すように、下地となる面１１（本実施形態の場合、床面）に固着して使用される。固着の際には、粒状物５が存在しない側の面が下地となる面１１に向けられ、その状態で網状体３が下地となる面１１に固着される。また、必要に応じて、粒状物５の相互間にある隙間が目地材１３（本実施形態においては、モルタル）で埋められ、これにより、網状体３は目地材１３の内部に埋没した状態、粒状物５は一部分が目地材１３の内部に埋没、残りの一部分が目地材１３の外部に露出する状態とされる。なお、このような目地材１３に代えて、砂などで粒状物５の相互間にある隙間を埋めるようにしてもよい。
【００２６】
ところで、この粒状物配設用複合資材１において、粒状物５は、次のような手順で網状体３に固着されている。
まず、図３（ａ）に示すように、複数の粒状物５は、あらかじめ所定の密度で配置された障害物２１を有する型２３の中に並べられることにより、障害物２１を避けた位置に分散配置された状態とされる。図３（ａ）に示した例では、障害物２１は、粒状物５とほぼ同じ大きさで、粒状物５を型２３の内側に敷き詰めた場合に、粒状物５の占める面積と障害物２１の占める面積がほぼ等しくなり、且つ、粒状物５と障害物２１が満遍なくランダムに存在するように構成してある。
【００２７】
このような型２３の内側に粒状物５を敷き詰めたら、図３（ｂ）に示すように、粒状物５の表面または網状体３の表面に接着剤を塗布した上で、複数の粒状物５の上から網状体３が被せられる。
【００２８】
その後、接着剤を十分に硬化させたら、図３（ｃ）に示すように、型２３から網状体３が取り出される。その結果、障害物２１を避けた位置に分散配置された状態になっていた複数の粒状物５は、その分散状態のまま網状体３に固着され、網状体３とともに型２３から取り出されることになる。なお、障害物２１にも接着剤が付着している場合、障害物２１と網状体３も接着されることになるが、障害物２１の表面をフッ素樹脂加工するか、障害物２１の表面に接着剤の接着を妨げる剥離剤をあらかじめ塗布しておけば、網状体３を容易に障害物２１から剥離することができる。また、網状体３側が少々剥がれても問題ない場合は、網状体３の表面が少し剥がされるような状態で、網状体３を障害物２１から剥離しても構わない。
【００２９】
このような手順で複数の粒状物５を網状体３に固着してあるので、網状体３全体の面積に対して所望の割合で障害物２１を設けておくことにより、簡単に複数の粒状物５を分散させることができ、その分散状態を維持したまま下地となる面１１（図２（ｂ）参照）に粒状物５および網状体３を固着することができる。
【００３０】
したがって、網状体３の面積に対して粒状物５の量が少ないような場合であっても、障害物２１を均一に設けておけば、きわめて簡単に粒状物５を均一に分散配置することができる。
【００３１】
こうして粒状物５間の隙間を十分に確保すれば、粒状物５を過度に密に敷き詰めた場合とは異なり、粒状物配設用複合資材１間の継ぎ目７（図２（ａ）参照）付近にできる隙間が目立たなくなる。また、手作業で個々の粒状物５を分散配置しなくてもよいので、簡単に粒状物５を分散させることができ、粒状物５間の隙間を十分に確保することができる。
【００３２】
さらに、粒状物５間に隙間を確保すると、個々の粒状物配設用複合資材１毎に隙間の形態や位置にばらつきが生じやすいが、あらかじめ所定の密度で配置された障害物２１を有する型を用いれば、隙間の形態や位置にばらつきが生じるのを抑制することができる。
【００３３】
加えて、粒状物５間の隙間を多めに確保することができるので、粒状物５を過度に密に敷き詰めた場合に比べ、粒状物５が多すぎることに起因する圧迫感を軽減することができ、粒状物５を敷設する箇所（床面ないし壁面）を軽い風合いに仕上げることができる。また、単位面積に含まれる粒状物５の数を削減することができるので、その分だけコストダウンを図ることができ、粒状物配設用複合資材１をより安価に提供できるようになる。
【００３４】
以上、本発明の実施形態について説明したが、本発明は上記の具体的な一実施形態に限定されず、この他にも種々の形態で実施することができる。
例えば、上記実施形態においては、型２３の内部に障害物２１を設けてあったが、図４（ａ）に示すように、障害物２１が存在しない型３１を利用してもよい。このような型３１を用いると、粒状物５の密度を最も高くすることができる。
【００３５】
また、図３に示した例では、型２３の内部に設けた障害物２１について、粒状物５の占める面積と障害物２１の占める面積がほぼ等しくなるように構成してあったが、図４（ｂ）に示すように、粒状物５の占める面積が障害物３３の占める面積よりも大きい型３５や、図４（ｃ）に示すように、粒状物５の占める面積が障害物３７の占める面積よりも小さい型３９を用いてもよい。
【００３６】
さらに、上記実施形態においては、型２３の内部に障害物２１を満遍なく設けてある例を示したが、図４（ｄ）に示すように、障害物４１の存在密度が局所局所で何通りかに変わるように構成された型４３を利用してもよい。この場合、粒状物５の密度を局所局所で変えることができ、しかも、その代わり具合を個体差のない代わり具合とすることができる。すなわち、障害物４１をあえて不均一に設けておいてもよく、例えば、第１の部分では障害物４１の密度が高く、第２の部分では障害物４１の密度が低い型を用意すれば、第１の部分には少量の粒状物５を分散させ、第２の部分にはより多くの粒状物５を分散させることができるので、そのような分散状態の粒状物５を、そのまま下地となる面に固着することができる。
【図面の簡単な説明】
【００３７】
【図１】本発明の粒状物配設用複合資材の一例を示す平面図。
【図２】本発明の粒状物配設用複合資材を示す図であり、（ａ）は粒状物配設用複合資材９枚を縦横に敷き詰めた状態を示す平面図、（ｂ）は粒状物配設用複合資材の固着状態を示す部分縦断面図。
【図３】粒状物を網状体に固着する手順を示す説明図。
【図４】粒状物を網状体に固着する際に用いる型の変形例を示す説明図。
【符号の説明】
【００３８】
１・・・粒状物配設用複合資材、３・・・網状体、５・・・粒状物、６・・・波形周縁部、６ａ・・・凹部、６ｂ・・・凸部、７・・・継ぎ目、１１・・・下地となる面、１３・・・目地材、２１，３３，３７，４１・・・障害物、２３，３１，３５，３９，４３・・・型。
【図１】
2007170140.tif 000003
【図２】
2007170140.tif 000004
【図３】
2007170140.tif 000005
【図４】
2007170140.tif 000006